(57)【要約】      （修正有）【課題】広告放映及び生活に密着した情報・公報等を行なうことによって、視聴者にメリットを与え、そのメリットによって煩わしさを和らげる効果をもたらすテレビを提供する。【解決手段】従来のテレビ用モニターとは別に、テレビにパーソナルコンピューターを内蔵し、該モニターの外周部分に放送による広告放映及びネット配信放映の２種類の方法が可能な広告専用モニターを装着して、テレビ用モニターと広告モニターが同時に稼動して、従来のテレビモニターにテレビ放映とテレビ放映を中断して広告が放映される時間と同時間、該広告専用モニターに広告放映及び生活に密着した情報・公報等がテレビ放映及びネット配信の２種類での放映がされる。【選択図】図１
0003146471.tif 000002
【実用新案登録請求の範囲】
【請求項１】
現在のテレビ放送と広告用放送を同時に行うことが可能な装置を装着した新しいテレビ（以下「アドテレビ」という）を製作するもので、現在のテレビ放送の広告方法は、広告用の画像と音声を、テレビ放送を一時中断して、広告用のテレビ放送を放映するシステムであるが、本考案は、テレビ画像表示装置（以下「モニター」という）１枚に、中央部分はテレビ画像表示専用とし、従来どおりテレビ放送とテレビ放送を中断して広告放送を行うものとし、テレビモニターの外周の帯状部分（上下、左右の任意の場所範囲）は、広告用専用のモニターとして設置し、テレビ用電源スイッチをオンにすると自動的に、広告用モニターも同時にスイッチオンがなされて放映され、それぞれのテレビ用モニター部分と広告用モニター部分が既に他メーカーにより開発されているマルチ画像表示（多チャンネル画像表示）機器を使用することによって、同時に別々の画像内容を１枚のモニターに放映（音声を含む）されるように、該マルチ画像表示機器を内蔵装着して、テレビ放映時間と同時間、新しい独自の広告の放映を外周部の広告専用の放映を行なうスペースに放映するシステムを持つもので、１枚のモニターにてテレビ及び独自の広告の放映を同時に行うアドテレビ。
【請求項２】
上記表示の広告専用のモニターに、放送用の受信機能の他にパーソナルコンオユーターを内蔵させ、ネット配信の受信機能を装着させ、ネット配信による画像及び音声を映し出し、テレビ放送用とネット配信の２種類の方法を使用して広告を行なうアドテレビ。
【考案の詳細な説明】
【技術分野】
【０００１】  本考案は、現在使用しているテレビに替えて、アドテレビ（本考案によるテレビ名称）という名称のテレビ放映と広告用放映を同時に行える画像表示装置を設置使用して、従来のテレビ広告と違う新たな広告を行うもので、その該アドテレビには、テレビ用画像表示装置であるモニターを設置し、該テレビモニターの１枚の内、中央部分にテレビ画像を放映するモニター（１）とし、外周の帯状部分に広告専用の放映するモニター部分（２）を設け、テレビ放映と同時に広告用放映ができるようにして、尚、広告用放映が本来のテレビ放映の支障にならないように広告用画像と音声を調節した広告放映及び生活に密着した情報・公報等を、テレビ放映と同時に行なって、広告をするテレビ用及び広告用同時放映のアドテレビの製作。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放放送が行われているのが現状である。  一面、民放テレビには（公序良俗違反につき、不掲載）の公共放送にない楽しさや面白さがあるが、しかし、やはりテレビ視聴者にとって、広告の時間帯は煩わしいものであると感じる等、不便がある。
【考案の開示】
【考案が解決しようとする課題】
【０００３】  本考案は、上記従来のテレビによる広告時間帯の視聴の煩わしさ等の不便のみを感じる欠点の解決を図るもので、その目的は、広告の煩わしさ等の不便さ以上に、新しい本考案による広告放映及び生活に密着した情報・公報等を行なうことによって、視聴者にメリットを与え、そのメリットによって煩わしさを和らげる効果をもたらす解決策のシステムを持った広告をすることが可能なテレビの製作。
【課題を解決するための手段】
【０００４】  上記目的を解決するために、本考案のアドテレビは、テレビモニターの外周の帯状部分に広告専用画像が映し出されるように設営したマルチ放映画像が可能な新しいモニターを設置して、テレビスイッチをオンにすると同時に、テレビモニターと広告用モニターが同時に画像を映し出し、テレビモニターでのテレビ及び広告放映以外に、独自の広告をテレビモニターの外周部分に放映して、別途広告収入と生活の利便性を図り、その広告収入の一部を視聴者に還元できるようにして、広告時間帯の視聴に対する煩わしさ感を和らげるものとしたアドテレビの製作。
上記の他に、該テレビにパーソナルコンピューターを内蔵させ、ネット配信の受信機能を持たせ、該広告専用のモニターに広告を映し出させて、広告をするアドテレビの製作。
【考案の効果】
【０００５】  現在行われているテレビ放映を中断してその同じテレビモニターに広告を放映する広告以外に、本考案は、テレビスイッチがオンになっている時間帯に、新しくテレビモニターの画像表示中央部分とは別に、該テレビモニターの外周の帯状の広告専用モニター部分に広告放映及び生活に密着した情報・公報等を独自に放映することで、本考案による新しい該アドテレビが持つ利便性の他に広告収入の一部を、アドテレビ所有者に還元する。例えば、テレビ放映時間に応じたポイント制による現金を還元する、電気代の一部を自動的に負担して還元する、又は、テレビの製造会社が、そのアドテレビから得る広告収入を予測してその分安く販売して還元する等、現在のテレビ所有者が得られないアドテレビ所有者のみが利益を得られる効果がある。
【考案を実施するための最良の形態】
【０００６】  本考案の最良の用法を説明すると、アドテレビのスイッチをオンにすると同時に、テレビモニターの他に同モニターの１枚の外周部分に広告が映し出される機能を持った広告専用のモニター部分を設置し、該テレビに内蔵された広告専用の受信機を使用して、テレビ放映時に該１枚のモニターの内、テレビ中央部分にテレビ及びテレビ放映を一時中断して広告する他に、該モニター外周部分に広告放映及び生活に密着した情報・公報等を放映するものとし、その放映に際しては、テレビ放映の視聴に支障の無いように、画像及び音声を調節した広告を広告専用帯状モニター部分に放映して、独自の広告をする。その広告方法は、テレビ放映によるものとパーソナルコンピューターを利用したネット配信による放映との２方法が可能なものとする。
【実施例】
【０００７】  本考案の実施例を図面について説明すると、図１には、アドテレビの１枚のモニターには、テレビ専用放映が可能なモニター中央部分（１）、広告専用の放映が可能な帯状のモニター外周部分（２）、画面を保護する外枠（３）、アドテレビ内部（裏側）にテレビ専用画像音声放映装置（４）と広告専用画像音声放映装置（５）、マルチ（テレビ及び広告同時放映）放映用装置（６）、パーソナルコンピューターによるネット配信受信装置（７）を内蔵させ、外部にテレビ用電源スイッチ（８）を装着し、広告専用のモニター部分には、テレビ放映及びネット配信による広告の２種類の広告が可能なように機能を持たせ、テレビ電源をスイッチオンにすれば、テレビ専用画像音声放映装置（４）と広告専用画像音声放映装置（５）が同時に１枚のモニターに放映されるように連結する。以上の装置を持ったテレビで、テレビ視聴及び広告視聴の結果、広告専用モニターの稼動により、広告収入が発生しその広告収入の一部が、アドテレビ所有者に還元されるシステムである。
【図面の簡単な説明】
【０００８】
【図１】アドテレビの装置装着製作正面図
【図２】アドテレビの装置装着製作断面図
【符号の説明】
【０００９】１    テレビ専用放映が可能なモニター中央部分
２    広告専用の放映が可能な帯状のモニター外周部分
３    外枠
４    テレビ専用画像音声放映装置
５    広告専用画像音声放映装置
６    マルチ（テレビ及び広告同時放映）放映用装置
７    パーソナルコンピューターによるネット配信受信装置
８    テレビ用電源スィッチ
【図１】
0003146471.tif 000003
【図２】
0003146471.tif 000004
【手続補正書】
【提出日】平成20年8月19日(2008.8.19)
【手続補正１】
【補正対象書類名】実用新案登録請求の範囲
【補正対象項目名】全文
【補正方法】変更
【補正の内容】
【実用新案登録請求の範囲】
【請求項１】
アドテレビの画像を収納する方形状よりなる外枠（３）を形成し、該外枠（３）には、外部にテレビ用電源スイッチ（８）を装着し、且つ該外枠（３）には、内部中央部分にテレビ画像モニター（１）を位置し、該テレビ画像モニター（１）には、外周全体に帯状の広告用画像モニター（２）を装設し、該テレビ画像モニター（１）と該広告用画像モニター（２）との裏面側には、テレビ専用画像音声放映器（４）と、広告専用画像音声放映器（５）と装設すると共に、マルチ放映機器（６）を収納した事を特徴とするテレビ画像及び広告画像の同時放映のアドテレビ。
【請求項２】
請求項１における該広告用画像モニター（２）には、パーソナルコンピューターを内蔵させ、ネット配信の受信機器（７）を裏側に収納させ、ネット配信による画像及び音声を映し出した事を特徴とする請求項１のテレビ画像及び広告画像の同時放映のアドテレビ。
【手続補正２】
【補正対象書類名】明細書
【補正対象項目名】全文
【補正方法】変更
【補正の内容】
【考案の詳細な説明】
【技術分野】
【０００１】  本考案は、現在使用されているテレビ広告と異なる新たな広告用放映をするもので、アドテレビの１枚の中央部分のテレビ画像モニターの外周に設けた帯状部分に、広告用の広告用画像モニターを設け、テレビ放映と同時に広告用放映ができるようにした、テレビ画像及び広告画像の同時放映のアドテレビに関する。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放放送が行われているのが現状である。
一面、民放テレビには、公共放送にない楽しさや面白さがあるが、しかし、やはりテレビ視聴者にとって、広告の時間帯は煩わしいものであると感じる等、不便さがある。
【考案の開示】
【考案が解決しようとする課題】
【０００３】  本考案は、上記従来の問題点である、テレビ放映による広告時間帯の視聴の煩わしさ等の不便のみを感じる欠点の解決を図るもので、その目的とする所は、広告放映及び生活に密着した情報や公報等を放映することによって、視聴者にメリットを与え、その結果による煩わしさを緩和する効果をもたらすシステムを持った広告とする、テレビ画像及び広告画像の同時放映のアドテレビを提供するものである。
【課題を解決するための手段】
【０００４】  上記目的を達成するために、本考案のアドテレビによれば、アドテレビを収納する外枠を設け、その外部にテレビ用電源スイッチを装設する。該外枠の内部の中央部分にテレビ画像モニターを設けると共に、その外周全体に帯状の広告用画像モニターを装設する。該テレビ画像モニターと該広告用画像モニターには、裏面側に、テレビ専用画像音声放映器と広告専用画像音声放映器を装設すると共に、マルチ放映機器を収納している。また、広告用画像モニターには、パーソナルコンピューターによるネット配信の受信機器を装設することを特徴としている。
【考案の効果】
【０００５】  上記の様に構成されているアドテレビによれば、テレビの放映を途中で中断して、テレビ画像モニターに広告用画像モニターを放映する必要がない効果と、外枠の内部の中央部分に設けたテレビ画像モニターと、その外周全体に設けた帯状の広告用画像モニターを設けてあるので、テレビ画像モニターを中断することなく、外周の帯状部分に、例えば生活に密着した情報等の広告用画像モニターの広告放映が自由に出来る便利な効果がある。
そして、該広告用画像モニターの裏面側に、テレビ専用画像音声放映器と広告専用画像音声放映器及びマルチ放映機器を各々収納してあるので、テレビ放映を一時中断して広告のみを放映できると共に、テレビ放映の視聴に支障の無いように、画像及び音声を自由に調節した広告をモニター部分に放映できる便利な効果がある。また、マルチ放映機器によっては、同時に別々の画像内容を１枚のテレビモニターに音声と共に放映できる便利な効果もある。
また、広告用画像モニターには、パーソナルコンピューターを内蔵し、背面側にネット配信の受信機器を装設したことにより、画像と音声とを広告用画像モニターに広告を映し出して、広告ができる便利さもある。
【考案を実施するための最良の形態】
【０００６】  本考案の最良の用法を説明すると、アドテレビの電源スイッチをオンにすると、同時にテレビ画像モニターと外周部分の広告用画像モニターにも広告が映し出され、該広告用画像モニターの裏側に内臓された広告専用のネット配信の受信機器を使用して、テレビ放映時に１枚のモニターの内において、テレビ中央部のテレビ画像モニターのテレビ放映を一時中断して広告宣伝の外に、該テレビ画像モニターの外周部分に広告放映及び生活に密着した情報や公報等を放映するものである。その広告の放映に際しては、テレビ放映の視聴に支障の無いように、画像及び音声を調節した広告を広告用画像モニター部分に放映して、独自の広告をするものである。その広告方法としては、テレビ放映によるものとパーソナルコンピューターを利用したネット配信の受信機器による放映との２種類の方法が可能となるものである。
【実施例】
【０００７】  本考案の実施例を図面について説明すると、図１は、アドテレビには、テレビ専用放映可能なテレビ画像モニター（１）を保護する、略方形状の外枠（３）を構成する。該外枠（３）には、外周の所定位置にテレビ用電源スイッチ（８）を装設する。
該外枠（３）には、内部の中央部分に該テレビ画像モニター（１）を位置する。該テレビ画像モニター（１）には、外周全体に帯状に形成された広告用画像モニター（２）を配置してある。
次に、該テレビ画像モニター（１）と、該広告用画像モニター（２）との裏面側には、テレビ専用画像音声放映器（４）と、広告専用画像音声放映器（５）と装設してある。また、裏面側には、パーソナルコンピューターによるネット配信の受信機器（７）を内蔵させてある。
更に、図２に示すものは、該外枠（３）の内部の裏面側を示すもので、該テレビ画像モニター（１）と、該広告用画像モニター（２）との裏面に設けた、同時に１枚のモニターに放映される該テレビ専用画像音声放映器（４）と、該広告専用画像音声放映器（５）との縦断側面を示すもので、また、内部には、テレビ、広告を同時に放映するマルチ放映機器（６）を収納したものである。
【図面の簡単な説明】
【０００８】
【図１】本考案のアドテレビの全体の正面図である。
【図２】同じく本考案の図１の縦断側面図である。
【符号の説明】
【０００９】１    テレビ画像モニター
２    広告用画像モニター
３    外枠
４    テレビ専用画像音声放映器
５    広告専用画像音声放映器
６    マルチ放映機器
７    ネット配信の受信機器
８    テレビ用電源スイッチ
【手続補正３】
【補正対象書類名】図面
【補正対象項目名】全図
【補正方法】変更
【補正の内容】
【図１】
0003146471.tif 000005
【図２】
0003146471.tif 000006